(57)【要約】【課題】審美性に優れた広告表示化粧板、広告表示化粧板の施工方法、および広告体を提供する。【解決手段】広告表示化粧板１０は、化粧シート１２を備え、広告媒体に対して脱着可能に構成されている。化粧シート１２は、表面または内部に印刷部１２１を含み、広告表示化粧板１０の第１面１０１側から広告コンテンツの少なくとも一部が視認可能に構成されている。広告表示化粧板１０は、広告媒体に取り付けられて広告コンテンツを表示する。【選択図】図１
2018036606.tif 000002
【特許請求の範囲】
【請求項１】
表面または内部に印刷部を含み、第１面側から広告コンテンツの少なくとも一部が視認可能に構成された化粧シートを備え、
広告媒体に対して脱着可能に構成された広告表示化粧板。
【請求項２】
請求項１に記載の広告表示化粧板において、
前記化粧シートの、前記第１面とは反対側の第２面側に固定されたマグネット層をさらに備える広告表示化粧板。
【請求項３】
請求項２に記載の広告表示化粧板において、
前記マグネット層の磁束密度は２０ｍＴ以上である広告表示化粧板。
【請求項４】
請求項２または３に記載の広告表示化粧板において、
前記マグネット層は、接着層により前記化粧シートに固定されている広告表示化粧板。
【請求項５】
請求項１〜４のいずれか一項に記載の広告表示化粧板において、
前記化粧シートは、メラミン系樹脂、熱可塑性エマルジョン樹脂の固形分、ポリ塩化ビニル、ポリフッ化ビニル、ポリフッ化ビニリデン、ポリエステル、ポリテトラフルオロエチレン、ポリオレフィン樹脂、および（メタ）クリル樹脂により構成される群から選択される一以上の樹脂を含む広告表示化粧板。
【請求項６】
請求項１〜５のいずれか一項に記載の広告表示化粧板において、
前記化粧シートはガラスクロスを含む広告表示化粧板。
【請求項７】
請求項１〜６のいずれか一項に記載の広告表示化粧板において、
可撓性を有する広告表示化粧板。
【請求項８】
請求項１〜７のいずれか一項に記載の広告表示化粧板において、
前記化粧シートの前記第１面側に保護層をさらに備え
前記保護層は樹脂（Ｃ）及び充填材を含む広告表示化粧板。
【請求項９】
請求項８に記載の広告表示化粧板において、
樹脂（Ｃ）は反応性ポリウレタン樹脂、ポリエステル樹脂、およびポリオレフィン樹脂、アクリル樹脂、アクリル−ウレタン樹脂、シリコーン、およびフルオロポリマーのうち少なくともいずれかを含む広告表示化粧板。
【請求項１０】
請求項１〜９のいずれか一項に記載の広告表示化粧板において、
前記第１面の表面粗さＲａは５μｍ以下である広告表示化粧板。
【請求項１１】
請求項１〜１０のいずれか一項に記載の広告表示化粧板において、
前記第１面において、波長５５０ｎｍの光の入射角４５°での反射率が、受光角０°以上７０°以下の範囲にわたり４０％以下である広告表示化粧板。
【請求項１２】
表面または内部に印刷部を含み、第１面側から広告コンテンツの少なくとも一部が視認可能に構成された化粧シートを備える広告表示化粧板を、広告媒体に対して脱着可能に固定する広告表示化粧板の施工方法。
【請求項１３】
請求項１２に記載の広告表示化粧板の施工方法において、
複数の前記広告表示化粧板を、並べて固定する広告表示化粧板の施工方法。
【請求項１４】
請求項１３に記載の広告表示化粧板の施工方法において、
前記複数の広告表示化粧板を、互いに離間させた状態で並べて固定する広告表示化粧板の施工方法。
【請求項１５】
請求項１３または１４に記載の広告表示化粧板の施工方法において、
前記複数の広告表示化粧板は、第１の前記広告表示化粧板と、前記第１の広告表示化粧板とは表面粗さＲａが異なる第２の前記広告表示化粧板とを含む広告表示化粧板の施工方法。
【請求項１６】
表面または内部に印刷部を含み、第１面側から広告コンテンツの少なくとも一部が視認可能に構成された化粧シートを備える広告表示化粧板を複数含み、
前記複数の広告表示化粧板が広告媒体に対して脱着可能に固定されている広告体。
【発明の詳細な説明】
【技術分野】
【０００１】
本発明は広告表示化粧板、広告表示化粧板の施工方法、および広告体に関する。
【背景技術】
【０００２】
建物の内壁や家具等の意匠性を高めるために化粧板が用いられる場合がある。
【０００３】
特許文献１には、表面に耐スクラッチ層を備え、反対側に接着層がラミネートされた装飾シートが記載されている。
【先行技術文献】
【特許文献】
【０００４】
【特許文献１】特表２０１１−５１６２９９号公報
【発明の概要】
【発明が解決しようとする課題】
【０００５】
しかし、建物の内壁等にポスター等の広告を掲示しようとする場合には、化粧板を覆って広告体を取り付けることとなり、また、長期に掲示すると広告体が痛んだり色あせたりして審美性が損なわれるおそれがあった。
【０００６】
本発明は、審美性に優れた広告表示化粧板、広告表示化粧板の施工方法、および広告体を提供する。
【課題を解決するための手段】
【０００７】
本発明によれば、
表面または内部に印刷部を含み、第１面側から広告コンテンツの少なくとも一部が視認可能に構成された化粧シートを備え、
広告媒体に対して脱着可能に構成された広告表示化粧板
が提供される。
【０００８】
本発明によれば、
表面または内部に印刷部を含み、第１面側から広告コンテンツの少なくとも一部が視認可能に構成された化粧シートを備える広告表示化粧板を、広告媒体に対して脱着可能に固定する広告表示化粧板の施工方法
が提供される。
【０００９】
本発明によれば、
表面または内部に印刷部を含み、第１面側から広告コンテンツの少なくとも一部が視認可能に構成された化粧シートを備える広告表示化粧板を複数含み、
前記複数の広告表示化粧板が広告媒体に対して脱着可能に固定されている広告体
が提供される。
【発明の効果】
【００１０】
本発明によれば、審美性に優れた広告表示化粧板、広告表示化粧板の施工方法、および広告体を提供できる。
【図面の簡単な説明】
【００１１】
【図１】第１の実施形態に係る広告表示化粧板の構造を例示する断面図である。
【図２】第１の本実施形態に係る広告表示化粧板の施工方法を説明するための図である。
【図３】図２の破線で示す領域を拡大して示す図である。
【図４】第２の実施形態に係る広告表示化粧板の構造を例示する断面図である。
【図５】第３の実施形態に係る広告表示化粧板の構造を例示する断面図である。
【図６】第４の実施形態に係る広告表示化粧板の構造を例示する断面図である。
【図７】第５の実施形態に係る広告表示化粧板の構造を例示する断面図である。
【図８】（ａ）〜（ｄ）は、それぞれ実施例２〜４、および６における受光角と反射率との関係を示す図である。
【発明を実施するための形態】
【００１２】
以下、本発明の実施の形態について、図面を用いて説明する。尚、すべての図面において、同様な構成要素には同様の符号を付し、適宜説明を省略する。また、「〜」は特に断りがなければ「以上」から「以下」を表す。
【００１３】
（第１の実施形態）
図１は、第１の実施形態に係る広告表示化粧板１０の構造を例示する断面図である。広告表示化粧板１０は、化粧シート１２を備え、広告媒体に対して脱着可能に構成されている。化粧シート１２は、表面または内部に印刷部１２１を含み、広告表示化粧板１０の第１面１０１側から広告コンテンツの少なくとも一部が視認可能に構成されている。以下に詳しく説明する。
【００１４】
本実施形態に係る広告表示化粧板１０は、広告媒体に取り付けられて広告コンテンツを表示する。広告表示化粧板１０は広告媒体に脱着可能に構成されていることで、広告期間が終了した場合には広告媒体から取り外される。広告媒体は建物の内壁や柱、家具の表面等である。ここで、建物の内壁としてはたとえば具体的には部屋や通路、エレベータ等の内壁が挙げられる。
【００１５】
広告コンテンツは、文字、写真、図形、記号等を適宜組み合わせて構成され、一連の広告内容を示している。広告コンテンツは、なかでも文字を含むことが好ましい。
【００１６】
本実施形態において広告表示化粧板１０は、化粧シート１２、接着層１３、およびマグネット層１４を備える。ただし、広告表示化粧板１０は広告媒体に脱着可能に構成されていればよく、マグネット層１４を備えていなくてもよい。その場合、広告表示化粧板１０はたとえば化粧シート１２の第２面１０２側に、広告媒体または化粧シート１２に対して剥離可能な接着層を備えていてもよい。第２面１０２とは、広告表示化粧板１０の主面のうち、第１面１０１とは反対側の面である。
【００１７】
化粧シート１２の構造は特に限定されないが、本実施形態において広告表示化粧板１０は表面層１２０および芯材層１２９を含む。化粧シート１２は、たとえばメラミン系樹脂、熱可塑性エマルジョン樹脂の固形分、ポリ塩化ビニル、ポリフッ化ビニル、ポリフッ化ビニリデン、ポリエステル、ポリテトラフルオロエチレン、ポリオレフィン樹脂、および（メタ）クリル樹脂により構成される群から選択される一以上の樹脂を含んで構成される。
【００１８】
本図の例において表面層１２０は芯材層１２９と接している。さらに表面層１２０は、印刷基材１２２、印刷部１２１、第１樹脂層１２３、および第２樹脂層１２４を含んで構成されている。広告表示化粧板１０の第１面１０１には、表面層１２０が露出している。
【００１９】
広告表示化粧板１０は全体として可撓性を有することが好ましい。そうすれば湾曲した広告媒体にも固定することができる。具体的には広告表示化粧板１０は、２５℃において１０ｍｍの曲げ半径で湾曲させたとき、亀裂が生じない程度の可撓性を有することが好ましい。
【００２０】
化粧シート１２は、広告コンテンツを表示する部分である。化粧シート１２は、第１面１０１側から印刷部１２１、すなわち印刷された広告コンテンツを視認可能に構成されている。
【００２１】
表面層１２０は、たとえば広告面となる第１面１０１側にメラミン樹脂を含有する樹脂（第１樹脂層１２３）を担持し、芯材層１２９と接する第２面１０２側に熱可塑性エマルジョン樹脂の固形分（第２樹脂層１２４）を担持する印刷基材１２２からなる表面層材料で構成される。以下に詳しく説明する。
【００２２】
印刷基材１２２は、たとえばパルプ、リンター、合成繊維、ガラス繊維である。また、印刷基材１２２は、酸化チタンなどの顔料を含有する酸化チタン含有化粧紙であってもよい。
【００２３】
印刷部１２１は、広告コンテンツを示す。印刷部１２１は印刷により印刷基材１２２に担持されたインクである。印刷部１２１は、印刷基材１２２の表面に層状に形成されていてもよいし、少なくとも一部が印刷基材１２２に含浸していてもよい。印刷法は、特に限定されないが、グラビア印刷、インクジェット印刷、オフセット印刷等を用いることができる。
【００２４】
第１樹脂層１２３は、樹脂（Ａ）を含む層であり、印刷基材１２２の第１面１０１側に位置する透明な層である。樹脂（Ａ）は、メラミン系樹脂を含む。樹脂（Ａ）は中でもメラミン樹脂を含むことが好ましい。これにより、化粧シート１２の表面に好適な硬度を付与することができ、広告表示化粧板１０の耐久性を高めることができる。本図の例において、広告表示化粧板１０の第１面１０１には、第１樹脂層１２３が露出している。
【００２５】
メラミン樹脂としては、特に限定されず、例えば、メラミンとホルムアルデヒドを中性または弱アルカリ下において反応させて得られるものを用いることができる。
【００２６】
また、メラミン樹脂としては、住友化学（株）製のメラミン樹脂等、市販のものを用いることもできる。
【００２７】
樹脂（Ａ）を印刷基材１２２の第１面１０１側に担持させる方法としては、特に限定されず、例えば、樹脂（Ａ）を溶媒に溶解した樹脂ワニスを、例えば、スプレー装置、シャワー装置、キスコーター、コンマコーター等の装置を用いて塗工した後、８０〜１３０℃程度で加熱乾燥する方法等が挙げられる。
【００２８】
樹脂（Ａ）を溶解する溶剤としては、特に限定されず、例えば、水、メタノール等が挙げられる。中でも水が好ましい。また、悪影響を及ぼさない範囲で貧溶媒を使用しても構わない。樹脂ワニスの固形分（溶剤を除く全成分）は、特に限定されないが、樹脂ワニスの３０〜７０質量％であるのが好ましく、４５〜６０質量％であるのがより好ましい。これにより、樹脂ワニスの基材への含浸性を向上できる。
【００２９】
第２樹脂層１２４は、樹脂（Ｂ）を含む層である。樹脂（Ｂ）は、たとえば熱可塑性エマルジョン樹脂の固形分である。なお、本明細書中おいて、熱可塑性エマルジョン樹脂とは、熱可塑性樹脂を含むが溶剤に分散してエマルジョン状態となったものである。また、熱可塑性エマルジョン樹脂の固形分とは、熱可塑性エマルジョン樹脂から溶剤を除いた成分を意味する。
【００３０】
熱可塑性エマルジョン樹脂の固形分は、エマルジョン樹脂粒子として存在する成分を含み、金属や各種素材との接着特性を有し、化粧シート１２に柔軟性を付与する。したがって、表面層１２０の第２面１０２側に熱可塑性エマルジョン樹脂の固形分が担持されることにより、表面層１２０と芯材層１２９との接着強度を向上させることができるとともに、化粧シート１２の曲げ加工性を向上させることができる。
【００３１】
熱可塑性エマルジョン樹脂の固形分としては、たとえば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。本明細書中において、ウレタンアクリル複合粒子とは、単一粒子内にアクリル樹脂とウレタン樹脂との異相構造を有するものを意味する。
【００３２】
ウレタン樹脂とアクリル樹脂は、各々が芯材層１２９との接着強度が高いため、ウレタンアクリル複合粒子を用いることで、芯材層１２９との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００３３】
また、本明細書中において「異相構造」とは、１個の粒子内に異なる種類の樹脂からなる相が複数存在する構造を意味し、例えば、コアシェル構造、局在構造、海島構造等が挙げられる。
【００３４】
なお、熱可塑性エマルジョン樹脂の固形分としては、これらの中の１種類が単独で含まれるものを用いることもできるし、異なる２種類以上の熱可塑性樹脂を混合して含むものを用いることもできる。
【００３５】
また、熱可塑性エマルジョン樹脂の固形分には、上記熱可塑性樹脂のエマルジョン粒子以外にも、必要に応じて少量の増粘剤、浸透促進剤、消泡剤等を含んでいてもよい。
【００３６】
熱可塑性エマルジョン樹脂の固形分は、平均粒径が３０〜１００ｎｍのエマルジョン樹脂粒子を含むことが好ましく、エマルジョン樹脂粒子の平均粒径は、６０〜９０ｎｍであることがより好ましい。これにより、表面層基材の繊維間への含浸性が向上し、より表面層基材の内部に含浸させることができるため、表面層１２０に良好な柔軟性を付与することができる。
【００３７】
熱可塑性エマルジョン樹脂の固形分を印刷基材１２２の第２面１０２側に担持させる方法としては、特に限定されず、樹脂（Ａ）を印刷基材１２２の第１面１０１側に担持させる上述の方法と同様にして行うことができる。つまり、溶剤に溶解されたエマルジョン状態の熱可塑性エマルジョン樹脂を塗工、加熱乾燥する方法等が挙げられる。
【００３８】
熱可塑性エマルジョン樹脂に用いられる溶剤としては、特に限定されず、例えば、水等が挙げられる。また、悪影響を及ぼさない範囲で貧溶媒を使用しても構わない。熱可塑性エマルジョン樹脂の固形分（溶剤を除く全成分）は、特に限定されないが、熱可塑性エマルジョン樹脂の２５〜６０質量％であるのが好ましく、３０〜４５質量％であるのがより好ましい。これにより、熱可塑性エマルジョン樹脂の基材への含浸性を向上できる。
【００３９】
なお、第１樹脂層１２３および第２樹脂層１２４は単独で層を形成していなくてもよい。すなわち、樹脂（Ａ）および樹脂（Ｂ）は印刷基材１２２に担持されていればよい。ここで、印刷基材１２２が樹脂を担持するとは、樹脂が基材（担体）の表面に付着し、または、基材内部の空隙部に含浸され、表面層材料の成形後に担持させた樹脂の性能を発現することを可能にする状態であることを意味する。第１樹脂層１２３および第２樹脂層１２４はたとえば、表面層１２０において層状の分布を有している。なお、樹脂は、基材の表面および基材の内部に均一に分布していなくてもよい。
【００４０】
芯材層１２９は、たとえばガラスクロス、またはガラスクロスを基材とするプリプレグを含んで構成されている。これにより、化粧シート１２に、耐熱性、不燃性、剛性などを付与することができる。
【００４１】
芯材層１２９の厚みは、５０μｍ以上とすることが好ましい。これにより、化粧シート１２に充分な耐熱性、不燃性を付与することができる。また、厚みの上限については、特に限定されないが、厚みが大きいほど化粧シート１２の厚みと重量が増大すると共に、コストも嵩むため、最終的な製品における設計上、許容される範囲で設定することが好ましく、３５０μｍ以下にすることが好ましい。
【００４２】
マグネット層１４は、化粧シート１２の第２面１０２側に固定されている。広告表示化粧板１０がマグネット層１４を備えることにより、表面または内部に磁性体を含む広告媒体に脱着可能に取り付けることができる。広告表示化粧板１０が広告媒体に十分強く固定されるためにマグネット層１４の磁束密度は２０ｍＴ以上であることが好ましい。
【００４３】
マグネット層１４は、磁石粉末をバインダー（結合樹脂）で結合してなる層である。磁石粉末は、優れた磁気特性を有するものが好ましい。このような磁石粉末としては、例えば、Ｒ（ただし、Ｒは、Ｙを含む希土類元素のうちの少なくとも１種）を含む合金、特にＲ（ただし、Ｒは、Ｙを含む希土類元素のうちの少なくとも１種）とＴＭ（ただし、ＴＭは、遷移金属のうちの少なくとも１種）とＢ（ボロン）とを含む合金が挙げられる。
【００４４】
バインダーとしては、熱可塑性樹脂、熱硬化性樹脂のいずれでもよい。熱可塑性樹脂としては、例えば、ポリアミド（例：ナイロン６、ナイロン４６、ナイロン６６、ナイロン６１０、ナイロン６１２、ナイロン１１、ナイロン１２、ナイロン６−１２、ナイロン６−６６、ナイロン６Ｔ、ナイロン９Ｔ）、熱可塑性ポリイミド、芳香族ポリエステル等の液晶ポリマー、ポリフェニレンオキシド、ポリフェニレンサルファイド、ポリエチレン、ポリプロピレン、エチレン−酢酸ビニル共重合体等のポリオレフィン、変性ポリオレフィン、ポリカーボネート、ポリメチルメタクリレート、ポリエチレンテレフタレート、ポリブチレンテレフタレート等のポリエステル、ポリエーテル、ポリエーテルエーテルケトン、ポリエーテルイミド、ポリアセタール等、またはこれらを主とする共重合体、ブレンド体、ポリマーアロイ等が挙げられ、これらのうちの１種または２種以上を混合して用いることができる。
【００４５】
熱硬化性樹脂としては、例えば、ビスフェノール型、ノボラック型、ナフタレン系等の各種エポキシ樹脂、フェノール樹脂、ユリア樹脂、メラミン樹脂、ポリエステル（不飽和ポリエステル）樹脂、ポリイミド樹脂、シリコーン樹脂、ポリウレタン樹脂等が挙げられ、これらのうちの１種または２種以上を混合して用いることができる。なお、使用される熱硬化性樹脂（未硬化）は、室温で液状のものでも、固形（粉末状）のものでもよい。
【００４６】
マグネット層１４の厚さ（平均厚さ）は、審美的な観点から適宜変更されるが、０．１５〜６ｍｍであるのが好ましく、０．６〜２ｍｍであるのがより好ましい。マグネット層１４の大きさ・形状は、広告表示化粧板１０の形状等によって適宜変更することができる。
【００４７】
マグネット層１４は、接着層１３により化粧シート１２に固定されている。接着層１３は特に限定されないが、たとえば、主として粘着剤で構成されている。この粘着剤としては、ゴム系粘着剤、アクリル系粘着剤、シリコーン系粘着剤等を挙げることができる。
【００４８】
アクリル系粘着剤としては、粘着性を与える低Ｔｇの主モノマー成分、接着性や凝集力を与える高Ｔｇのコモノマー成分、架橋や接着性改良のための官能基含有モノマー成分を主とする重合体または共重合体よりなる。
【００４９】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステル等を挙げることができる。
【００５０】
コモノマー成分としてはアクリル酸メチル、メタクリル酸メチル、メタクリル酸エチル、酢酸ビニル、スチレン、アクリロニトリル等が挙げられる。
【００５１】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等が挙げられる。
【００５２】
また、ゴム系粘着剤としては、例えば、天然ゴム系、イソプレンゴム系、スチレン−ブタジエン系、再生ゴム系、ポリイソブチレン系のものや、スチレン−イソプレン−スチレン、スチレン−ブタジエン−スチレン等のゴムを含むブロック共重合体を主とするもの等を挙げることができる。
【００５３】
また、シリコーン系粘着剤としては、例えば、ジメチルシロキサン系、ジフェニルシロキサン系のもの等を挙げることができる。
【００５４】
以上のような粘着剤は、非架橋型、架橋型のいずれのものも使用可能である。後者の場合、必要に応じ、架橋剤を添加することができる。架橋剤としては、例えば、エポキシ系化合物、イソシアナート系化合物、金属キレート化合物、金属アルコキシド、金属塩、アミン化合物、ヒドラジン化合物、アルデヒド系化合物等が挙げられる。このような粘着剤は、有機溶剤系、エマルション系のいずれでもよい。
【００５５】
また、接着層１３には、例えば、可塑剤、粘着付与剤、増粘剤、充填材、老化防止剤、防腐剤、防カビ剤、染料、顔料等の各種添加剤が必要に応じ添加されていてもよい。
【００５６】
なお、芯材層１２９に接着剤が含浸されている場合等、芯材層１２９が接着層１３を兼ねていても良い。
【００５７】
広告表示化粧板１０の第１面１０１の表面粗さＲａは５μｍ以下であることが好ましい。また、広告表示化粧板１０の第１面１０１において、波長５５０ｎｍの光の入射角４５°での反射率が、受光角０°以上７０°以下の範囲にわたり４０％以下であることが好ましく、３０％以下であることがより好ましい。そして、広告表示化粧板１０の第１面１０１において、波長４４０ｎｍ、５５０ｎｍ、および７００ｎｍの各光の入射角４５°での反射率がいずれも、受光角０°以上７０°以下の範囲にわたり４０％以下であることがより好ましく、３０％以下であることがさらに好ましい。そうすれば、広告表示化粧板１０に表示された広告を特に視認しやすくなる。具体的には、見る角度による色味の違いが出にくくなったり、また、色のコントラストが認識しやすくなったりする。ここで、波長４４０ｎｍの光は赤色の光であり、波長５５０ｎｍの光は緑色の光であり、波長７００ｎｍの光は青色の光である。
【００５８】
なかでも広告表示化粧板１０が文字コンテンツを表示している場合、第１面１０１の表面粗さＲａは０．３μｍ以上５μｍ以下であることが好ましい。そうすれば、第１面１０１の光沢を抑え、特に色のコントラストが視認しやすくなることで、広告表示化粧板１０を見る人に文字情報が認識されやすくなるとともに、表面の凹凸が大きすぎることによって文字が見にくくなることがない。
【００５９】
一方、広告表示化粧板１０が図形や写真を表示している場合には、第１面１０１の表面粗さＲａは０．３μｍ以下であることが好ましい。そうすれば広告表示化粧板１０の第１面１０１に、適度な光沢をもたせ、広告表示化粧板１０を見る人にインパクトを与えることができる。
【００６０】
広告表示化粧板１０の第１面１０１の表面粗さや反射率は、たとえば第１面１０１を構成する層を、所定の凹凸パターンを付したロール等で加圧成型することで調整できる。
【００６１】
化粧板を単に内装の壁紙として用いる場合には意匠性のみを重視すればよいのに対し、広告表示化粧板１０では、上記のように、単なる意匠性、審美性とは異なった観点で広告コンテンツの内容に対応した表面形状等を有することが好ましい。
【００６２】
広告表示化粧板１０の製造方法について以下に説明する。広告表示化粧板１０は、化粧シート１２に接着層１３を介してマグネット層１４を固定することにより形成される。具体的には、化粧シート１２に接着層１３を構成する粘着剤等を塗布し、マグネット層１４を積層する。ただし、粘着剤を塗布したマグネット層１４を化粧シート１２に積層してもよい。
【００６３】
化粧シート１２は、表面層１２０と芯材層１２９とを重ね合わせ、これを加熱加圧成形して積層することにより得られる。また、化粧シート１２の成形時に、所定の板材を重ねることにより、広告表示化粧板１０の第１面１０１の表面粗さや光の反射率等を調整することができる。
【００６４】
表面層１２０は、以下の様にして得られる。まず、印刷基材１２２に広告コンテンツを印刷することにより印刷部１２１を形成する。次いで、印刷部１２１を設けた印刷基材１２２の一方の面に第１樹脂層１２３を形成し、他方の面に第２樹脂層１２４を形成する。
【００６５】
なお、広告表示化粧板１０の製造方法は上記した方法に限定されない。たとえば、必要に応じて担体フィルムを使用してもよい。担体フィルムは製造時においていずれかの層を保護したり、製造を容易にしたりするために用いられる。担体フィルムは、その後除去されることにより、広告表示化粧板１０には含まれない。
【００６６】
図２は、本実施形態に係る広告表示化粧板１０の施工方法を説明するための図である。本施工方法では、上述したような広告表示化粧板１０を、広告媒体に対して脱着可能に固定する。以下に詳しく説明する。
【００６７】
本図では、広告表示化粧板１０を、エレベータの内壁に対して固定する例を示している。特に、複数の広告表示化粧板１０ａ，１０ｂ，１０ｃ，１０ｄを、並べて固定している。広告表示化粧板１０のサイズは内壁のサイズに合わせて調整され、内壁は複数の広告表示化粧板１０によりほぼ全体が覆われている。このように複数の広告表示化粧板１０を用いることにより、一枚の広告表示化粧板１０のみで覆う場合よりも広告表示化粧板１０の製造や運搬、施工が容易になる。この場合、一つの広告コンテンツが複数に分割されて各広告表示化粧板１０に表示されてもよい。すなわち、複数の広告表示化粧板１０の組み合わせによりひとつの広告コンテンツが構成されていてもよい。なお、一つの広告媒体に複数の広告コンテンツ（たとえば広告主が互いに異なる）が表示されても良い。また、必ずしも内壁の全体が広告表示化粧板１０で覆われていなくても良い。
【００６８】
図３は、図２の破線で示す領域を拡大して示す図である。本図の例では複数の広告表示化粧板１０を、互いに離間させた状態で並べて固定している。化粧シート１２が紙などを含む場合、吸湿により膨張が生じることがある。それに対し、このように複数の広告表示化粧板１０を互いに離間させて施工することにより、膨張に起因する広告表示化粧板１０の位置ずれや浮き上がりを防止することができる。ただし、広告表示化粧板１０が紙などを含まない構造の場合など、複数の広告表示化粧板１０は互いに接触させた状態で固定してもよい。
【００６９】
また、複数の広告表示化粧板１０は、第１の広告表示化粧板１０ａと、第１の広告表示化粧板１０ａとは表面粗さＲａが異なる第２の広告表示化粧板１０ｂとを含んでもよい。たとえば文字コンテンツを表示している面積が大きい広告表示化粧板１０ほど、第１面１０１の表面粗さＲａを大きくすることが好ましい。そうすれば、第１面１０１の光沢を抑え、広告表示化粧板１０を見る人に文字情報が認識されやすくなる。
【００７０】
本実施形態に係る広告表示化粧板１０の施工方法によれば、表面または内部に印刷部１２１を含み、第１面１０１側から広告コンテンツの少なくとも一部が視認可能に構成された化粧シート１２を備える広告表示化粧板１０を複数含み、複数の広告表示化粧板１０が広告媒体に対して脱着可能に固定されている広告体が得られる。
【００７１】
なお、印刷部１２１が化粧シート１２の内部に位置する例について上述したが、印刷部１２１は化粧シート１２の第１面１０１側の表面に位置していてもよい。
【００７２】
次に、本実施形態の作用および効果について説明する。本実施形態によれば、広告表示化粧板１０は建物の内壁や家具等の内壁材であると共に、単体又は複数で耐久性、審美性に優れた広告体として機能しうる。
【００７３】
また、広告表示化粧板１０が広告媒体に対して脱着可能に構成されていることにより、広告期間の終了時に容易に交換できる。
【００７４】
さらに、本実施形態に係る広告表示化粧板１０によれば、化粧板の施工コストを広告費でまかなうこともできる。具体的には、エレベータ等の内壁が老朽化して新しい化粧板を施工したい場合、施工費が必要となる。ここで、本実施形態のような広告表示化粧板を施工すれば、施工主は広告主から広告費を徴収でき、それを施工費にあてることができる。したがって、施工主は少ない費用負担で内装の審美性を高めることができる。
【００７５】
（第２の実施形態）
図４は、第２の実施形態に係る広告表示化粧板１０の構造を例示する断面図である。本実施形態に係る広告表示化粧板１０は、表面層１２０の構造を除いて第１の実施形態に係る広告表示化粧板１０と同じである。
【００７６】
本実施形態において、表面層１２０は、金属層１２５を含む。そうすることにより、第１面１０１側から見て広告表示化粧板１０に金属光沢感を生じさせ、広告の印象を強めることができる。具体的には、広告表示化粧板１０の第１面１０１と金属層１２５との間に印刷部１２１が位置することにより広告コンテンツの背景に金属光沢感が生じる。なお、広告表示化粧板１０では、第１面１０１から見て金属層１２５の全体を覆うように印刷部１２１が形成されていてもよい。その場合であっても、印刷部１２１を透過して金属光沢感が感じられる。
【００７７】
金属層１２５はアルミ、金、銀等である。金属層１２５の厚さは特に限定されないが、１ｎｍ以上３００μｍ以下が好ましい。そうすれば、広告表示化粧板１０の可撓性を損なうことなく、金属光沢感を生じさせることができる。
【００７８】
本実施形態において、印刷基材１２２はたとえば透明な樹脂フィルムである。印刷基材１２２はたとえばポリオレフィン系樹脂、ポリエステル系樹脂、アクリル系樹脂のうちの一以上を含む。
【００７９】
本実施形態に係る広告表示化粧板１０は、表面層１２０の製造方法を除いて第１の実施形態に係る広告表示化粧板１０と同様に製造できる。本実施形態において、印刷部１２１は印刷基材１２２のうち第２面１０２側となる面に印刷で形成される。そして、印刷部１２１を覆うように第２樹脂層１２４が形成され、さらに金属箔を重ねることにより金属層１２５が積層される。一方、印刷基材１２２のうち第１面１０１側となる面に第１樹脂層１２３が形成される。すなわち、第１樹脂層１２３、印刷基材１２２、印刷部１２１、第２樹脂層１２４、および金属層１２５がこの順に広告表示化粧板１０の第１面１０１側から積層された表面層１２０を得られる。ただし、本実施形態に係る表面層１２０は、本図の例に限定されず、たとえば印刷部１２１が第１の実施形態と同様に印刷基材１２２のうち第１面１０１側となる面に印刷で形成されていてもよい。
【００８０】
次に、本実施形態の作用および効果について説明する。本実施形態によれば、第１の実施形態と同様の作用及び効果を奏する。くわえて、金属層１２５によって広告コンテンツの背景に金属光沢を付与することができる。
【００８１】
（第３の実施形態）
図５は、第３の実施形態に係る広告表示化粧板１０の構造を例示する断面図である。本実施形態に係る広告表示化粧板１０は、化粧シート１２の構造を除いて第１の実施形態に係る広告表示化粧板１０と同じである。
【００８２】
本実施形態において化粧シート１２は第１樹脂層１２３、第２樹脂層１２４、および印刷部１２１を備える。そして第２樹脂層１２４が印刷基材１２２として機能する。
【００８３】
第１樹脂層１２３は、透明な樹脂フィルムである。第１樹脂層１２３は、合成樹脂、例えば、ポリ塩化ビニル、ポリフッ化ビニル、ポリフッ化ビニリデン、ポリエステル、ポリテトラフルオロエチレン、ポリオレフィン樹脂、又は（メタ）クリル樹脂を含む。第１樹脂層１２３は、たとえばエンボス圧延加工によるラミネートによって、印刷部１２１が形成された第２樹脂層１２４に積層される。第１樹脂層１２３の厚さはたとえば１０μｍ以上８０μｍ以下である。
【００８４】
第２樹脂層１２４は、合成樹脂、例えば、ポリ塩化ビニル、ポリフッ化ビニル、ポリフッ化ビニリデンポリエステル、ポリオレフィン樹脂、又は（メタ）クリル樹脂を含む。第２樹脂層１２４は、さらに、不燃性の無機充填材を含んでもよい。無機充填材としては、ＣａＣＯ３、Ｍｇ（ＯＨ）２、Ａｌ（ＯＨ）３、ＳｉＯ２、粘土（例えば、モンモリロナイト又はカオリン）等が挙げられる。第２樹脂層１２４の厚さはたとえば６０μｍ以上１５０μｍ以下である。第２樹脂層１２４はたとえばキャスティング、またはカレンダリングにより形成することができる。
【００８５】
本実施形態に係る広告表示化粧板１０は化粧シート１２の形成方法を除いて第１の実施形態に係る広告表示化粧板１０の製造方法と同じである。本実施形態において化粧シート１２は、第２樹脂層１２４のうち第１面１０１側となる面に印刷により印刷部１２１を形成し、次いで、印刷部１２１を覆うように第１樹脂層１２３を形成することで得られる。
【００８６】
本実施形態によれば、第１の実施形態と同様の作用及び効果を奏する。
【００８７】
（第４の実施形態）
図６は、第４の実施形態に係る広告表示化粧板１０の構造を例示する断面図である。本実施形態に係る広告表示化粧板１０は、化粧シート１２が金属層１２５を備える点を除いて第３の実施形態に係る広告表示化粧板１０と同じである。
【００８８】
本実施形態において化粧シート１２は金属層１２５を含む。金属層１２５は、第２の実施形態で説明した金属層１２５と同様である。金属層１２５は、第２樹脂層１２４と接着層１３との間に位置する。本実施形態において、第２樹脂層１２４は透明な樹脂である。ただし、第２樹脂層１２４は着色されていてもよい。
【００８９】
本実施形態に係る広告表示化粧板１０の製造方法において、第２樹脂層１２４に第１樹脂層１２３が積層された後、化粧シート１２に接着層１３が積層される前に、第２樹脂層１２４に対して蒸着することにより金属層１２５が積層される。
【００９０】
本実施形態によれば、第１の実施形態と同様の作用及び効果を奏する。くわえて、金属層１２５によって広告コンテンツの背景に金属光沢を付与することができる。
【００９１】
（第５の実施形態）
図７は、第５の実施形態に係る広告表示化粧板１０の構造を例示する断面図である。本実施形態に係る広告表示化粧板１０は、保護層１２６を備える点を除いて、第１〜第４の実施形態の少なくとも何れかに係る広告表示化粧板１０と同じである。本図は、第３の実施形態に相当する例を示している。
【００９２】
本実施形態において、広告表示化粧板１０は、化粧シート１２の第１面１０１側に保護層１２６をさらに備える。保護層１２６は、耐スクラッチ性を有する透明な層である。広告表示化粧板１０の第１面１０１には保護層１２６が露出している。保護層１２６は特に限定されないが、たとえば樹脂（Ｃ）及び充填材を含んで構成される。保護層１２６の厚さは特に限定されないが、たとえば５μｍ以上１００μｍ以下である。
【００９３】
樹脂（Ｃ）は反応性ポリウレタン樹脂、ポリエステル樹脂、ポリオレフィン樹脂、アクリル樹脂、アクリル−ウレタン樹脂、シリコーン、およびフルオロポリマーのうち少なくともいずれかを含む。
【００９４】
充填材としてはたとえばアルミナ、シリカ、酸化クロム、酸化鉄、ジルコニウム、チタニウム、又はこれらの混合物からなるビーズ又は粒子が挙げられる。ただし、これらに限定されない。充填材の粒子形状には、球形、房毛状、長球形、針状、多面体、円筒形又は不定形が挙げられるが、これらに限定されない。充填材の硬さは、たとえば８〜１５モース硬度である。充填材の平均粒子径は乾燥後の保護層１２６の厚さ以上であってよく、たとえば１０μｍ以上１１０μｍ以下である。充填材は、保護層１２６に均一に分散されていることが好ましい。
【００９５】
保護層１２６はさらに架橋剤を含んでもよい。架橋剤としてはたとえば、ビスアミド架橋剤、アジリジン架橋剤、カルボジイミド架橋剤、エポキシ架橋剤、イソシアネート架橋剤が挙げられる。架橋剤の含有量は、樹脂（Ｃ）１００重量部に対し、固体分でたとえば５重量部以上３０重量部以下である。
【００９６】
保護層１２６は、上記の成分を混合した材料を例えばバーコーティング法等により第１樹脂層１２３の第１面１０１側となる面に塗布し、加熱したロールと非加熱のニップロールとで押圧することで形成できる。
【００９７】
次に、本実施形態の作用および効果について説明する。本実施形態によれば、第１の実施形態と同様の作用及び効果を奏する。加えて、保護層１２６により広告表示化粧板１０の耐久性が向上する。
【実施例】
【００９８】
以下、本実施形態を、実施例を参照して詳細に説明する。なお、本実施形態は、これらの実施例の記載に何ら限定されるものではない。
【００９９】
実施例１〜６において、第１の実施形態で説明したのと同様の構造を有する広告表示化粧板を作製した。実施例１〜６は、互いに表面形状が異なるようにした。また、各広告表示化粧板は、広告として白地に黒色の文字およびカラー写真を表示するものとした。
【０１００】
実施例１〜５の表面粗さＲａを、表面粗さ測定器（東京精密社製、ＳＵＲＦＣＯＭ  １３０Ａ）を用いてＪＩＳ  Ｂ  ０６３３：２０１１に従い測定した。結果を表１に示す。各結果は、３つの試料を作製、計測した平均値である。また、各実施例において、文字の見やすさ（視認性）を確認した。いずれの角度からも文字を視認しやすかった場合を「○」、一部の角度からは文字を視認しにくかった場合を「△」、いずれの角度からも文字が視認しにくかった場合を「×」として評価した。結果を表１にまとめて示す。
【０１０１】
【表１】
2018036606.tif 000003
【０１０２】
表１に示す結果の通り、表面粗さＲａが０．３μｍ以上５μｍ以下の実施例３〜５において、文字の視認性が良かった。
【０１０３】
さらに、実施例２〜４および６の広告化粧板について、三次元変角分光測色システム（村上色彩技術研究所社製、ＧＣＭＳ−４）を用いて反射率を測定した。測定においては、入射角を４５°、あおり角を０°とし、受光角を０°以上７０°以下の範囲で変化させた。また、測定は４４０ｎｍ、５５０ｎｍ、および７００ｎｍの各波長の光で行った。図８（ａ）〜（ｄ）は、それぞれ実施例２〜４、および６における受光角と反射率との関係を示す図である。なお、本システムでは解析の都合上、正反射等の非常に反射率が高い場合において、１００％を超える反射率が測定値とされることがある。得られた反射率のうち１００％を超える値については、実際は９０〜１００％程度の反射率であると推測される。０°以上７０°以下の複数の受光角で得た反射率のうち、受光角１０°、４３°、４５°、４７°、６０°での反射率を表２〜表４に示す。表２では波長４４０ｎｍ、表３では波長５５０ｎｍ、表４では波長７００ｎｍの結果を示している。また、各実施例において、広告の見やすさ（視認性）を確認した。いずれの角度からも広告全体が視認しやすかった場合を「◎」、一部の角度からは広告の一部分が視認しにくかった場合を「○」、一部の角度からは広告の全体が視認しにくかった場合を「△」、いずれの角度からも広告の全体が視認しにくかった場合を「×」として評価した。結果を表３に合わせて示す。
【０１０４】
【表２】
2018036606.tif 000004
【表３】
2018036606.tif 000005
【表４】
2018036606.tif 000006
【０１０５】
図８（ａ）〜（ｄ）および表２〜４に示す結果の通り、実施例３および４では、４４０ｎｍ、５５０ｎｍ、および７００ｎｍのいずれの波長においても、０°以上７０°以下の受光角の範囲にわたって反射率が４０％以下であった。実施例２では、４５°（正反射）において反射率が高かったが、正反射を除いては反射率が４０％以下であった。そして実施例６では、４５°近辺の受光角において反射率が高く、波長５５０ｎｍにおいて４０％を超えていた。そして、実施例３および４ではいずれの角度から見ても広告の視認性がよかったのに対し、実施例２および６では、一部の角度から見た場合において、照明灯が強く移り込むことにより少なくとも広告の一部分が視認しにくかった。
【０１０６】
以上、図面を参照して本発明の実施形態について述べたが、これらは本発明の例示であり、上記以外の様々な構成を採用することもできる。
【符号の説明】
【０１０７】
１０  広告表示化粧板
１２  化粧シート
１３  接着層
１４  マグネット層
１２０  表面層
１２１  印刷部
１２２  印刷基材
１２３  第１樹脂層
１２４  第２樹脂層
１２５  金属層
１２６  保護層
１２９  芯材層
【図１】
2018036606.tif 000007
【図２】
2018036606.tif 000008
【図３】
2018036606.tif 000009
【図４】
2018036606.tif 000010
【図５】
2018036606.tif 000011
【図６】
2018036606.tif 000012
【図７】
2018036606.tif 000013
【図８】
2018036606.tif 000014